(57)【要約】【課題】  非接触ＩＣチップを搭載したはがきあるいは切手を発行する際に、上記非接触ＩＣチップに差出人情報を簡単に記録することができる。【解決手段】  利用者が所持している個人情報が記録されているＩＣカードから郵便物の差出人情報を読取り、上記ＩＣカードから読取った差出人情報としての利用者の個人情報をはがきあるいは切手に搭載された非接触ＩＣチップに記録して発行するようにしてものである。【選択図】      図４
2005190114.tif 000002
【特許請求の範囲】
【請求項１】
紙葉類の購入者に関する情報が記録されている記録媒体から紙葉類の差出人情報としての情報を取得する取得手段と、
この取得手段により取得した差出人情報を電子データとして紙葉類に搭載されているＩＣチップに記録する記録手段と、
この記録手段により前記差出人情報を電子データでＩＣチップに記録した紙葉類を発行する発行手段と、
を有することを特徴とする紙葉類の発行装置。
【請求項２】
前記紙葉類は、官製はがき、あるいは、切手であることを特徴とする前記請求項１に記載の紙葉類の発行装置。
【請求項３】
さらに、前記取得手段により取得した差出人情報を当該紙葉類上の所定の領域に印刷する印刷手段と、を有することを特徴とする前記請求項１に記載の紙葉類の発行装置。
【請求項４】
さらに、前記記録手段により前記差出人情報を記録した紙葉類に搭載されているＩＣチップに予め記録されている識別情報を読取る読取手段と、
この読取手段により当該紙葉類に搭載されているＩＣチップから読取った識別情報と前記記録手段により当該紙葉類に搭載されているＩＣチップに記録した差出人情報とを情報管理装置に登録する登録手段と、を有することを特徴とする前記請求項１に記載の紙葉類の発行装置。
【請求項５】
紙葉類上に記載されている宛先情報に基づいて紙葉類を区分処理する区分手段と、
この区分手段による区分処理の過程において当該紙葉類に搭載されているＩＣチップに記録されている情報を読取る読取手段と、
この読取手段により紙葉類に搭載されているＩＣチップから識別情報を読取った場合、当該紙葉類のＩＣチップから読取った識別情報と特定のリストにおける識別情報とを照合する照合手段と、
この照合手段により当該紙葉類のＩＣチップから読取った識別情報が特定のリストにおける識別情報と一致しなかった場合、当該紙葉類を前記区分手段により宛先情報に基づいて区分する第１の処理手段と、
この照合手段により当該紙葉類のＩＣチップから読取った識別情報が特定のリストにおける識別情報と一致した場合、当該紙葉類を前記区分手段による宛先情報に基づく区分とは別に区分する第２の処理手段と、
を有することを特徴とする区分装置。
【請求項６】
前記第２の処理手段は、前記特定のリストにおける識別情報と一致した識別情報のＩＣチップが搭載されている当該紙葉類を配送停止する、ことを特徴とする前記請求項５に記載の区分装置。
【請求項７】
紙葉類を区分する区分装置と前記区分装置とのデータ通信が可能な情報管理装置とを有する区分システムにおいて、
前記区分装置は、
紙葉類上に記載されている宛先情報に基づいて紙葉類を区分処理する区分手段と、
この区分手段による区分処理の過程において当該紙葉類に搭載されているＩＣチップに記録されている情報を読取る読取手段と、
この読取手段により紙葉類に搭載されているＩＣチップから識別情報を読取った場合、当該紙葉類のＩＣチップから読取った識別情報と前記情報管理装置から配信された特定のリストにおける識別情報とを照合する照合手段と、
この照合手段により当該紙葉類のＩＣチップから読取った識別情報が特定のリストにおける識別情報と一致しなかった場合、当該紙葉類を前記区分手段により宛先情報に基づいて区分する第１の処理手段と、
この照合手段により当該紙葉類のＩＣチップから読取った識別情報が特定のリストにおける識別情報と一致した場合、当該紙葉類を前記区分手段による宛先情報に基づく区分とは別に区分する第２の処理手段と、を有し、
前記情報管理装置は、
特定の紙葉類に搭載されているＩＣチップの識別情報からなるリストを記憶する記憶手段と、
この記憶手段に記憶されている特定の紙葉類に搭載されているＩＣチップの識別情報からなるリストを前記区分装置へ配信する配信手段と、を有する、
ことを特徴とする区分システム。
【請求項８】
前記情報管理装置は、さらに、発行した紙葉類に搭載されているＩＣチップの識別情報と差出人情報とを関連づけて記憶している第２の記憶手段と、
この第２の記憶手段から特定の差出人情報に対応するＩＣチップの識別情報を抽出し、抽出したＩＣチップの識別情報を前記リストとして前記記憶手段に記憶する第３の処理手段と、を有することを特徴とする前記請求項７に記載の区分システム。
【発明の詳細な説明】
【技術分野】
【０００１】
この発明は、例えば、宛先情報と差出人情報とが記載されるはがき、あるいは、郵便物などに添付される切手などの紙葉類を発行する発行装置、区分装置、及び区分システムに関する。
【背景技術】
【０００２】
従来、郵便物に非接触ＩＣチップを搭載する公知例としては、例えば、特開２０００−１２３１２７号公報（特許文献１）、あるいは、特開２００２−２３６７２６号公報（特許文献２）などがある。
【０００３】
上記特許文献１には、郵便切手に非接触ＩＣカードを搭載し、自宅等に設置された端末装置を利用して非接触ＩＣカード内に郵便情報（郵便料金、送り先／送り元データ等）を書込むものについて記載されている。上記特許文献１では、「リサイクル利用可能」、「郵便料金決済にて前払いまたは後払い（口座引落し）両方に対応可能」、「送り先住所の情報を記録し、それを仕分け作業等に利用」といった効果を得るといった目的がある。
【０００４】
上記特許文献２には、少なくとも郵便物を一意に特定するＩＤ情報が記録された非接触ＩＣタグを郵便物に添付するものについて記載されている。上記特許文献２では、「リーダ内蔵型ポストに投函時に郵便依頼の受付け証明となる受領証を発行することで、受付け時間制限をなくす」、「通信回線（インターネット）経由で、ユーザが現在の配達状況や配達履歴を容易に閲覧できる」、「郵便料金の電子決済／後納」といった効果を得る目的がある。
【０００５】
また、はがきや切手などの紙葉類を発行する発行装置のうち、特に、個人化した切手を発行する発行装置の公知例としては、特開平１１−１３４５５８号公報（特許文献３）、あるいは、特開２０００−１１２３５６号公報（特許文献４）などがある。
【０００６】
上記特許文献３には、販売機に装備したカメラで個人の電子像を作成してプリンタにより個人化した切手を印刷して発行するものが記載されている。上記特許文献４には、切手台紙上に写真を印画する絵柄領域を設け、販売機に装備したカメラで個人の顔または全身を撮影して、予め用意してある背景等部品と組合わせて絵柄を出力し、写真つき切手として出力するものが記載されている。
【０００７】
また、非接触ＩＣチップを搭載した媒体に関する公知例としては、特開２００３−９１７０１号公報（特許文献５）がある。上記特許文献５では、非接触ＩＣチップを搭載した媒体の例として、シート状の形状で、媒体表面に視認可能な情報が印刷されていて、非接触ＩＣチップ内に表面記載の情報に対応する内容を含んだデジタル情報が記録されているものについて記載されている。
【０００８】
また、自動車の運転免許証のように、公的な身分証明証となるカード（ＩＣカード）を使用した販売機の公知例としては、特開２００３−１５１０１６号公報（特許文献６）がある。上記特許文献６には、身分証明が必要な販売品（煙草、酒等未成年への販売が禁止されているものや年齢別割引券など）向けに、身分証明用カード（免許証や健康保険証）を使用し、販売機搭載のカメラにて撮像した利用者の画像と、身分証明用カード内の情報から取得する顔特徴データとの比較により本人認証を行い、かつ身分証明用カードに含まれる利用者の属性が販売に妥当かを判断して商品を販売する装置について記載されている。
【０００９】
さらに、郵便物を宛先情報に基づいて区分する区分機に関する公知例としては、特開２００３−１４１４４３号公報（特許文献７）がある。上記特許文献７には、郵便物上を光学的に読取り、その光学的に読取った画像から郵便物上に記載されている宛先情報を文字認識して、その認識結果に基づいて郵便物を区分するものについて記載されている。
【００１０】
しかしながら、上記したような従来技術では、以下のような問題点がある。  
（１）郵便情報を非接触ＩＣチップに書込むための端末装置を家庭等に用意する手間とコストが発生する。
【００１１】
（２）郵便情報の入力方法に関して、例えば、差出人情報としての差出人の住所・氏名等の入力をキーボードやタッチパネル等の入力手段を使用するのは、利用者（差出人）の作業負荷が大きい。
【００１２】
（３）配達係員または受取人にとっては、差出人の情報が文字として視認可能な形で郵便物に表示されることが要望される。しかしながら、従来の技術では、差出人が非接触ＩＣチップに差出人情報を入力する場合であっても、別に、郵便物上に文字として差出人情報を記入あるいは印刷するという手間がかかる。
【００１３】
（４）自宅等の端末装置で簡単にＩＣチップに情報を記録できるようにすると、虚偽の情報などを記録した紙葉類が不正に使用されるリスクがある。例えば、差出人を偽って郵便物を発送した場合、差出人情報が表面に手書きで記載されていれば、筆跡等により受取人にて差出人本人かどうか判断できる余地があるが、ＩＣチップ内に記録される情報の場合、全く同じ内容（氏名、住所等）を誰でも記録することができる。このため、差出人が本人であるかを確認するには、差出人本人を証明できる付加情報（電子署名等）が必要であり、その管理等に複雑なシステムが必要となる。
【特許文献１】特開２０００−１２３１２７号公報
【特許文献２】特開２００２−２３６７２６号公報
【特許文献３】特開平１１−１３４５５８号公報
【特許文献４】特開２０００−１１２３５６号公報
【特許文献５】特開２００３−９１７０１号公報
【特許文献６】特開２００３−１５１０１６号公報
【特許文献７】特開２００３−１４１４４３号公報
【発明の開示】
【発明が解決しようとする課題】
【００１４】
この発明は、紙葉類に搭載されているＩＣチップに情報を書込むための端末装置を差出人が個々に用意する手間とコストが発生するという問題点を解決するものであり、各差出人が端末装置を用意することなく、紙葉類に搭載されているＩＣチップに情報を簡単に書込むことが可能な紙葉類の発行装置を提供することを目的とする。
【００１５】
また、この発明は、紙葉類に搭載されているＩＣチップに書込むための情報を入力する手間がかかり、差出人の作業負荷が大きいという問題点を解決するものであり、紙葉類に搭載されているＩＣチップに書込む情報を差出人が簡単に入力することができ、差出人の作業負荷を軽減することが可能な紙葉類の発行装置を提供することを目的とする。
【００１６】
また、この発明は、差出人に手間を増やすことなく、差出人情報をＩＣチップに記録するとともに、文字としても視認可能な形で紙葉類上に記載できるものが要望されているものであり、差出人情報をＩＣチップに記録するともに、紙葉類上に文字としても印刷することができ、差出人による手間を最小限に省力化できる紙葉類の発行装置を提供することを目的とする。
【００１７】
また、この発明は、ＩＣチップを搭載した紙葉類に虚偽の情報を記録して不正に使用されやすいという問題点を解決するものであり、ＩＣチップを搭載した紙葉類のセキュリティ性を向上させ、不正使用の防止及び不正使用された紙葉類に対する処理を容易に行うことが可能な紙葉類の発行装置、区分装置、及び区分システムを提供することを目的とする。
【課題を解決するための手段】
【００１８】
この発明の紙葉類の発行装置は、紙葉類の購入者に関する情報が記録されている記録媒体から紙葉類の差出人情報としての情報を取得する取得手段と、この取得手段により取得した差出人情報を電子データとして紙葉類に搭載されているＩＣチップに記録する記録手段と、この記録手段により前記差出人情報を電子データでＩＣチップに記録した紙葉類を発行する発行手段とを有する。
【００１９】
この発明の区分装置は、紙葉類上に記載されている宛先情報に基づいて紙葉類を区分処理する区分手段と、この区分手段による区分処理の過程において当該紙葉類に搭載されているＩＣチップに記録されている情報を読取る読取手段と、この読取手段により紙葉類に搭載されているＩＣチップから識別情報を読取った場合、当該紙葉類のＩＣチップから読取った識別情報と特定のリストにおける識別情報とを照合する照合手段と、この照合手段により当該紙葉類のＩＣチップから読取った識別情報が特定のリストにおける識別情報と一致しなかった場合、当該紙葉類を前記区分手段により宛先情報に基づいて区分する第１の処理手段と、この照合手段により当該紙葉類のＩＣチップから読取った識別情報が特定のリストにおける識別情報と一致した場合、当該紙葉類を前記区分手段による宛先情報に基づく区分とは別に区分する第２の処理手段とを有する。
【００２０】
この発明の区分システムは、紙葉類を区分する区分装置と前記区分装置とのデータ通信が可能な情報管理装置とを有するものにおいて、前記区分装置は、紙葉類上に記載されている宛先情報に基づいて紙葉類を区分処理する区分手段と、この区分手段による区分処理の過程において当該紙葉類に搭載されているＩＣチップに記録されている情報を読取る読取手段と、この読取手段により紙葉類に搭載されているＩＣチップから識別情報を読取った場合、当該紙葉類のＩＣチップから読取った識別情報と前記情報管理装置から配信された特定のリストにおける識別情報とを照合する照合手段と、この照合手段により当該紙葉類のＩＣチップから読取った識別情報が特定のリストにおける識別情報と一致しなかった場合、当該紙葉類を前記区分手段により宛先情報に基づいて区分する第１の処理手段と、この照合手段により当該紙葉類のＩＣチップから読取った識別情報が特定のリストにおける識別情報と一致した場合、当該紙葉類を前記区分手段による宛先情報に基づく区分とは別に区分する第２の処理手段とを有し、前記情報管理装置は、特定の紙葉類に搭載されているＩＣチップの識別情報からなるリストを記憶する記憶手段と、この記憶手段に記憶されている特定の紙葉類に搭載されているＩＣチップの識別情報からなるリストを前記区分装置へ配信する配信手段とを有する。
【発明の効果】
【００２１】
この発明によれば、各差出人が端末装置を用意することなく、紙葉類に搭載されているＩＣチップに情報を簡単に書込むことが可能な紙葉類の発行装置を提供できる。また、この発明によれば、紙葉類に搭載されているＩＣチップに書込む情報を容易に入力することができ、差出人の作業負荷を軽減することが可能な紙葉類の発行装置を提供できる。また、この発明によれば、差出人情報をＩＣチップに記録するともに、紙葉類上に文字としても印刷することができ、差出人による手間を最小限に省力化できる紙葉類の発行装置を提供することを目的とする。
【００２２】
また、この発明によれば、ＩＣチップを搭載した紙葉類のセキュリティ性を向上させ、不正使用の防止及び不正使用された紙葉類に対する処理を容易に行うことが可能な紙葉類の発行装置、区分装置、及び区分システムを提供することを目的とする。
【発明を実施するための最良の形態】
【００２３】
この発明を実現するための最良の実施の形態について図面を参照しつつ説明する。
【００２４】
図１は、この発明の実施の形態に係る非接触式ＩＣチップが搭載されている紙葉類としてのはがき１の概要を示す図である。また、図２は、この発明の実施の形態に係る非接触ＩＣチップが搭載されている紙葉類としての切手２の概要を示す図である。
【００２５】
上記はがき１には、図１に示すように、無線通信用のアンテナ１１と無線通信用のＩＣチップ１２とが搭載されている。同様に、上記切手２には、図２に示すように、無線通信用のアンテナ１１と無線通信用のＩＣチップ１２とが搭載されている。なお、以下の説明では、上記はがき１に搭載されるアンテナ１１及びＩＣチップ１２と上記切手２に搭載されるアンテナ１１及びＩＣチップ１２とは、同様な構成を有し、同様な形態で利用されるものとする。
【００２６】
上記はがき１は、例えば、定型の郵便はがきとして用いられるサイズの用紙で形成される。上記はがき１の紙面上には、図１に示すように、宛先情報（宛先の住所、氏名、郵便番号等の宛先に関する情報）を記載する宛先記入エリア１ａと、後述する処理により差出人情報（差出人の住所、氏名、郵便番号等の差出人に関する情報）が印刷される差出人記入エリア１ｂとが設けられている。
【００２７】
また、上記切手２は、例えば、郵便物に貼り付けられるものである。上記切手２の券面には、例えば、金額を示す情報が予め印刷されているとともに、後述する処理により差出人情報が印刷される。この切手２は、図２に示すように、紙葉類上の差出人記入エリア１ｂに貼り付けられることを想定している。これにより、上記切手２が貼り付けられた紙葉類上には、図２に示すような宛先記入エリア１ａが設けられるようになっている。
【００２８】
また、上記差出人情報は、上記はがき１あるいは上記切手２に内蔵されるＩＣチップ１２内のメモリにもデータとして記録される。また、上記ＩＣチップ１２内のメモリには、差出人情報のほかに種々のデータが記録可能である。例えば、上記ＩＣチップ１２内のメモリには、差出人情報の他に、郵便料金を示す情報、あるいは郵便料金の支払い形態を示す情報などが記録される。さらに、懸賞つきはがきや懸賞つき切手のような特定用途のはがきや切手である場合、上記ＩＣチップ１２内のメモリには、上述した情報の他、懸賞に関する情報などの付加情報を記録するようにしても良い。
【００２９】
次に、上記のようなＩＣチップ１２の構成例について説明する。
【００３０】
図３は、上記はがき１あるいは上記切手２に搭載されるＩＣチップ１２の構成例を概略的に示すブロック図である。
【００３１】
図３に示すように、上記ＩＣチップ１２は、ＣＰＵ３１、メモリ３２、通信制御部３３、及び電源部３４などを有している。
【００３２】
上記ＣＰＵ３１は、当該ＩＣチップ１２の動作を制御するモジュールである。上記メモリ３２は、情報を電子データとして記録するモジュールである。上記メモリ３２には、上述したような情報を記憶する記憶容量を有している。上記メモリ３２には、上述した発行時などにおいて記録される差出人情報、郵便料金あるいは付加情報などの情報の他に、予め当該ＩＣチップ１２を識別するためのチップ識別ＩＤが記録されている。このチップ識別ＩＤは、書換え不可な情報であり、後述する偽造防止などに使用される。また、上記メモリ３２に記録される情報は、暗号化処理等を用いて特定の装置（後述する発行装置及び区分装置）でのみ、読取りあるいは書込みができるようにされている。
【００３３】
上記通信制御部３３は、上記アンテナ１１を用いた無線通信を制御するモジュールである。上記電源部３４は、上記アンテナ１１により受信した無線電波から電源電圧を発生させるモジュールである。また、上記電源部３４は、上記アンテナ１１により受信した無線電波から生成した電源電圧を当該ＩＣチップ１２内の各部へ供給し、当該ＩＣチップ１２を起動されるようになっている。
【００３４】
次に、上記はがき１及び上記切手２の発行装置について説明する。
【００３５】
図４は、上記はがき１及び上記切手２の発行装置４０の構成を概略的に示すブロック図である。なお、以下の説明では、主に、上記発行装置４０が上記はがき１を発行する場合の動作について説明するが、上記切手２を発行する場合も同様な構成及び動作で実現できるものである。
【００３６】
図４に示すように、上記発行装置４０は、大きくユーザインタフェース部４１と処理部４２から構成される。また、当該発行装置４０は、発行したはがきなどに関する情報を管理する情報管理サーバ４３との通信が可能となっている。
【００３７】
上記ユーザインタフェース部４１は、ユーザあるいは係員に対する操作部及び表示部として機能するものである。上記ユーザインタフェース部４１は、図４に示すように、ＩＣカード受付部５０、表示部５１、媒体排出口５２、入力装置５３、及び現金受付部（現金投入部）５４などを有する。
【００３８】
上記ＩＣカード受付部５０は、利用者が所持しているＩＣカードを受付けるものである。ここでは、ＩＣカードは、デジタル情報を格納するメモリを有しているＩＣチップが内蔵されている媒体（カード）を想定している。また、ＩＣカードは、後述するＩＣカードリーダが対応するものであれば良く、接触式のＩＣカードであっても、非接触式のＩＣカードであっても良い。また、本実施の形態において、ＩＣカードとしては、ＩＣチップ内蔵の運転免許証のような公的機関から発行され、かつ、個人情報（少なくとも住所、氏名等の個人に関する情報）が記録された個人の身分証明となるものを想定している。
【００３９】
上記表示部５１は、表示装置により構成される。上記表示部５１は、ユーザあるいは係員に対する操作案内、あるいは処理結果などを表示するようになっている。上記媒体排出口５２は、上記処理部４２で発行されたはがき１あるいは切手２を排出するものである。
【００４０】
上記入力装置５３は、テンキー、キーボードあるいはタッチパネルにより構成される。上記入力装置５３は、ユーザあるいは係員によるはがき１あるいは切手２の発行に必要な情報や操作指示等の入力や動作指示などを受付ける。なお、上記表示部５１と上記入力装置５３とは、タッチパネル内蔵の表示装置にて一体的に構成するようにしても良い。
【００４１】
上記現金受付部５４は、ユーザあるいは係員から投入される紙幣、硬貨などを受付けるものである。また、上記処理部４２は、ユーザインタフェース部４１からの入力に基づきはがき１あるいは切手２の発行処理を行うものである。上記処理部４２は、図４に示すように、ＩＣカードリーダ６０、非接触ＩＣチップリーダライタ６１、印刷部６２、ネットワークインタフェース部６３、現金処理ユニット６４、及び制御部６５などを有している。
【００４２】
上記ＩＣカードリーダ６０は、利用者が所持している上記のようなＩＣカードに記録されている情報を読み取るものである。上記ＩＣカードリーダ６０を構成するものは、運用形態に応じて選択されるものであり、接触式ＩＣカードに対応するものであっても良いし、非接触式カードに対応するものであっても良い。
【００４３】
上記非接触ＩＣチップリーダライタ６１は、発行するはがき１あるいは切手２に内蔵されているＩＣチップ（非接触式ＩＣチップ）１２との無線通信を行うユニットである。上記非接触ＩＣチップリーダライタ６１は、上記ＩＣチップ１２との無線通信により上記ＩＣチップ１２内のメモリへの情報（例えば、差出人情報）の書込みあるいは上記ＩＣチップ１２内のメモリからの情報の読取りを行う機能を有している。
【００４４】
上記印刷部６２は、発行するはがき１あるいは切手の表面に郵便料金あるいは差出人情報などを印刷する。なお、発行時において、はがき１あるいは切手２の表面に差出人情報を印刷する必要がない場合、上記印刷部６２は、省略するようにしても良い。
【００４５】
上記ネットワークインタフェース部６３は、上記情報管理サーバ４３とのデータ通信を行うインターフェースである。上記ネットワークインタフェース部６３は、例えば、発行する媒体（懸賞つきはがき１）に関する情報（抽選番号、抽選有効期限、チップ識別ＩＤ、差出人情報等）を上記情報管理サーバ４３に登録する機能を有する。
【００４６】
上記現金処理ユニット６４は、請求された代金としてユーザより投入された現金を処理する。上記制御部６５は、当該発行装置４０全体の制御を司るものである。上記制御部６５は、上記の各部分を統括して制御し、ユーザインタフェース部４１及び処理部４２内の各部分への指示を行う。
【００４７】
また、上記情報管理サーバ４３は、上記発行装置４０により発行したはがき１あるいは切手２などに関する情報を管理するサーバコンピュータである。上記情報管理サーバ４３は、上記発行装置４０にて発行したはがき１あるいは切手２に関する情報を記憶するデータベース４３ａを有している。上記データベース４３ａには、例えば、発行したはがき１あるいは切手２に搭載されているＩＣチップのチップ識別ＩＤ（識別情報）、購入者（差出人）情報、あるいは差出人を識別するための差出人識別情報などの情報が関連付けて登録される。
【００４８】
次に、上記発行装置４０によりはがき１あるいは切手２に搭載されているＩＣチップ１２に記録されるデータの例について説明する。
【００４９】
図５〜図７は、上記発行装置４０が上記ＩＣチップ１２に記録するデータの構成例を示す図である。
【００５０】
例えば、図５に示す例では、ＩＣチップ１２には、郵便料金を示す情報、差出人情報としての差出人の郵便番号、住所、氏名を示す情報が記録される。図５に示すような情報をＩＣチップ１２に記録する場合、はがき１あるいは切手２は、通常の官製はがきや郵便切手としての情報をデータとして保持するものとして利用される。この場合、非接触ＩＣチップリーダライタが上記はがき１あるいは切手２に搭載されているＩＣチップ１２から当該はがき１あるいは切手２の郵便料金を読取ることが可能となる。
【００５１】
また、図６に示す例では、ＩＣチップ１２には、郵便料金を示す情報が記録されずに、差出人情報としての差出人の郵便番号、住所、氏名を示す情報が記録される。図６に示すような情報をＩＣチップ１２に記録する場合、当該ＩＣチップ１２は、はがき１あるいは切手２に添付された差出人情報のみを保持するＩＣタグとして使用される。この場合、はがき１や切手２は、例えば、紙面に印刷された料金あるいは別納印が郵便料金として利用される。
【００５２】
また、図７に示す例では、上記ＩＣチップ１２には、郵便料金を示す情報として郵便料金の支払い形態を示す情報と、差出人情報としての差出人の郵便番号、住所、氏名を示す情報が記録される。図７に示すような情報をＩＣチップ１２に記録する場合、当該はがき１あるいは切手２は、料金を別納した郵便物であることを示すデータを保持するものとして利用される。この場合、非接触ＩＣチップリーダライタが上記はがき１あるいは切手２に搭載されているＩＣチップ１２から当該はがき１あるいは切手２の郵便料金が別納であることを読取ることが可能となる。
【００５３】
次に、上記発行装置４０によるはがき１の発行手順について説明する。
【００５４】
図５は、上記発行装置４０による懸賞つきはがき１の発行手順を説明するためのフローチャートである。ここでは、一例として、利用者による操作に応じてはがき１を発行する場合の動作例について説明するが、切手２を発行する場合あるいは係員の操作に応じてはがき１や切手２を発行する場合も同様な動作で実現可能である。
【００５５】
まず、利用者（はがき１の購入者）は、上記発行装置４０のＩＣカード受付部５０に自身が所持しているＩＣカードを投入する（ステップＳ１１）。このＩＣカードは、上記ＩＣカードリーダ６０にてカード内に記録されている情報が読み取れる形式のものであるとする。また、上記ＩＣカードには、少なくとも利用者の住所、氏名などの差出人情報として利用可能な情報が記録されているものとする。
【００５６】
上記ＩＣカード受付部５０により利用者のＩＣカードが投入されると、上記発行装置４０のＩＣカードリーダ６０は、上記ＩＣカード受付部５０から当該ＩＣカードを取り込み、当該ＩＣカード内のＩＣチップに記録されている住所、氏名等の情報（差出人情報）を読み取る（ステップＳ１２）。
【００５７】
なお、本実施の形態では、上記ＩＣカードリーダ６０が利用者のＩＣカードから直接、差出人情報を読取るものとしたが、上記ＩＣカードには差出人情報が記録されておらず、特定のアクセス情報のみが記録されている者であっても良い。この場合、上記発行装置４０は、当該ＩＣカードから読取ったアクセス情報を元にネットワークインタフェース部６３によりアクセス可能な他の装置（例えば、図示しないＩＣカード発行機関のサーバ等）から差出人情報を取得するようにしても良い。
【００５８】
上記差出人情報を取得すると、上記制御部５９は、上記表示部５１に発行するはがきあるいは切手の種類、枚数、及び郵便料金などの購入条件を入力する旨の案内を表示する。
【００５９】
この案内表示に対して、上記利用者は、上記購入条件として上記はがき１を指定するとともに、購入枚数を上記入力装置５３により指示入力する（ステップＳ１３）。さらに、上記のような差出人情報の他に付加情報をはがき１のＩＣチップ１２に記録することができるようにする場合、利用者は、上記入力装置５３にて上記付加情報を上記入力装置５３により入力する（ステップＳ１４）。
【００６０】
上記はがき１の購入条件あるいは付加情報が入力されると、上記制御部６５は、発行するはがき１に記録する情報としての差出人情報や付加情報、及び発行するはがき１の枚数などを利用者に確認させるための確認画面を上記表示部５１に表示する（ステップＳ１５）。
【００６１】
上記表示部５１に確認画面が表示されると、利用者は、当該確認画面により購入するきはがき１に記録する情報（差出人情報等）や購入枚数などを確認する。この確認画面により確認した内容に誤りがなければ、上記利用者は、上記入力装置５３により購入情報を確定するキーを指示入力する（ステップＳ１６）。
【００６２】
上記はがき１の購入条件の確定が指示されると、上記制御部６５は、購入枚数等に基づいて発行するはがき１の料金を算出し、その料金をユーザに請求する旨の代金請求の案内画面を上記表示部５１に表示する（ステップＳ１７）。この代金請求の案内画面において、利用者が料金の別納を選択できるようにしても良いが、ここでは、利用者が現金にて料金を支払う場合について説明する。
【００６３】
上記表示部５１に代金請求の案内画面が表示されると、利用者は、表示された代金に従って現金を上記現金受付部５４に投入する（ステップＳ１８）。上記現金受付部５４に現金が投入されると、上記制御部６５は、投入された現金を上記現金処理ユニット６４により処理し、投入金額を算出する。上記現金処理ユニット６４では、投入された現金の金額を計算し、その金額を上記制御部６５へ通知するようになっている。これにより、上記制御部６５は、投入された金額が請求金額を満たす場合、上記購入条件に基づいてはがき１の発行処理を行う（ステップＳ１９〜Ｓ２３）。
【００６４】
上記はがき１の発行処理において、上記制御部６５は、初期状態のはがき１を図示しない収納部から取出し、上記収納部から取出したはがき１に内蔵されているＩＣチップ１２内のメモリに差出人情報を上記非接触ＩＣチップリーダライタ６１により書込む処理を行う（ステップＳ１８）。
【００６５】
また、この書込み処理を行うとともに、上記制御部６５は、当該はがき１のＩＣチップ１２に予め記録されているチップ識別ＩＤなどの情報を上記非接触ＩＣチップリーダライタ６１により読取る読取処理を行う（ステップＳ１９）。
【００６６】
上記ステップＳ１８及びＳ１９の書込み処理及び読み込み処理では、上記制御部６５は、まず、上記非接触ＩＣチップリーダライタ６１により無線電波を発信し、はがき１に埋め込まれているＩＣチップ１２を起動させる。これに対して、当該はがき１では、上記非接触ＩＣチップリーダライタ６１からの電波を上記アンテナ１１により受信して電源電圧を生成し、ＩＣチップ１２内の各部を起動させる。これにより、上記非接触ＩＣチップリーダライタ６１と当該はがき１のＩＣチップ１２とが無線通信可能な状態となる。
【００６７】
この状態において、上記非接触ＩＣチップリーダライタ６１は、当該はがき１に対して差出人情報等の書込み要求を発信する。この書込み要求に対して、当該はがき１の上記ＩＣチップ１２は、上記差出人情報等を当該ＩＣチップ１２内のメモリに記録する。このような手順により、上記はがき１に埋め込まれているＩＣチップ１２への差出人情報等の書込み処理が行われる。
【００６８】
さらに、上記ステップＳ１９の読取処理として、上記非接触ＩＣチップリーダライタ６１は、当該はがき１に対してチップ識別ＩＤなどの情報の送信要求を発信する。この送信要求に対して、当該はがき１の上記ＩＣチップ１２は、当該ＩＣチップ１２内のメモリに予め記録されているチップ識別ＩＤなどを読み出して上記非接触ＩＣチップリーダライタ６１へ返送する。このチップ識別ＩＤなどの情報を上記非接触ＩＣチップリーダライタ６１が受信することにより、はがき１に埋め込まれているＩＣチップ１２からのチップ識別ＩＤの読込み処理が行われる。
【００６９】
上記ステップＳ１８及びＳ１９で書込み処理及び読取処理を行うと、上記制御部６５は、上記印刷部６２により初期状態のはがき１券面の差出人記入エリア１ｂに差出人情報を印刷する処理を行う（ステップＳ２１）。
【００７０】
さらに、上記制御部６５は、発行するはがき１のＩＣチップ１２に記録した差出人情報と当該はがき１のＩＣチップ１２から読み込んだチップ識別ＩＤとを登録用のデータとして上記ネットワークインタフェース部５７により情報管理サーバ４３へ送信する（ステップＳ２２）。これにより、上記情報管理サーバ４３では、上記発行装置４０から発行済みのはがき１に関するデータとして受信した差出人情報及びチップ識別ＩＤなどを関連づけてデータベース４３ａに登録する。なお、上記情報管理サーバ４３のデータベース４３ａに登録する情報は、差出人情報の代わりにＩＣカードが読み取った特定の識別情報（例えば、免許証番号等）をチップ識別ＩＤに対応させて登録するようにしても良い。
【００７１】
また、上記ステップＳ２１までの処理が完了すると、上記制御部６５は、当該はがき１を上記媒体排出口５２から排出するとともに、利用者により投入されたＩＣカードを上記ＩＣカード受付部５０から排出する（ステップＳ２３）。これにより、上記媒体排出口５２に排出されたはがき１及びＩＣカード受付部５０から排出されたＩＣカードは、ユーザにより取り出され（ステップＳ２４）、はがき１の発行処理が完了する。
【００７２】
上記のように、本実施の形態の発行装置では、利用者が所持している個人情報が記録されているＩＣカードから郵便物に記録する差出人情報を読み取り、その差出人情報をはがきあるいは切手等の媒体に搭載された非接触ＩＣチップに記録して発行するようにしてものである。これにより、発行時において、簡単に、はがきあるいは切手に搭載された非接触ＩＣチップに差出人情報を記録することが可能となる。
【００７３】
さらに、上記発行装置では、発行するはがきあるいは切手の所定の領域に上記差出人情報を印刷するようにしたため、差出人情報をはがきや郵便物等に差出人が記載する必要がなく、利便性が向上する。
【００７４】
さらに、差出人情報を記録して発行したＩＣチップを搭載したはがきあるいは切手について上記ＩＣチップの識別情報と差出人情報と関連づけて情報管理サーバに登録するようにしたため、ＩＣチップを搭載したはがきを不正に利用されることを防止できる。
【００７５】
次に、上記発行装置４０の他の運用形態例について説明する。
【００７６】
例えば、ＩＣカードが公的機関で発行されているものである場合、通常、利用者（購入者）本人の氏名や利用者本人の住民票に記載の現住所などの利用者に関する情報のみが記録されている。このため、発行する紙葉類のＩＣチップに記録する差出人情報及び紙葉類上に印刷する差出人情報を変更できるようにしても良い。この場合、差出人情報として記録及び印刷する情報が購入者の情報と異なっていても、各紙葉類についてＩＣチップのチップ識別ＩＤと購入者情報と関連づけて情報管理サーバのデータベースに登録する。
【００７７】
これにより、差出人情報として記録及び印刷する情報が購入者の個人情報と異なる場合であっても、各紙葉類が誰により発行されたかを管理でき、かつ、購入者の個人情報とは異なる住所、氏名等の情報を紙葉類に容易に記録あるいは印刷することができる。従って、差出人情報として、勤務先の住所を記録したり、家族の氏名を記録したりすることも可能となる。
【００７８】
また、ＩＣカードに記録されている利用者の識別情報（差出人識別情報）に関連付けて利用者本人の現住所や氏名以外の情報も差出人情報として上記データベース１０２ａに登録しておくようにしても良い。この場合、例えば、発行時に、ＩＣカードから読取った利用者の識別情報に対応する情報を上記データベース１０２ａから読み込み、上記入力装置にて差出人情報として使用する情報を選択することにより、購入者の個人情報と異なる差出人情報を簡単に入力することが可能となる。
【００７９】
また、ＩＣチップを搭載した紙葉類の表面（印刷部分）をリライト可能なものにすることにより、使用済みはがきや切手のリサイクルを行うことが可能である。この場合、リサイクル処理では、非接触ＩＣチップに記録されている差出人情報などの情報と、紙葉類の使用時に非接触ＩＣチップに記録される処理済み情報をクリアし、かつ、当該紙葉類の表面への印字内容を消去する。このようなリサイクル処理により使用済みの紙葉類が再利用可能とすることができる。また、上記のような使用済み紙葉類をリサイクル処理する機構を上記発行装置４０に組み込むことにより、上記発行装置にてＩＣチップを搭載した紙葉類を容易にリサイクル処理して再利用できる機能を実現できる。
【００８０】
次に、上記発行装置４０にて発行されたはがき１あるいは上記切手２が貼り付けられた郵便物を区分する区分システムについて説明する。
【００８１】
図９は、区分システムの構成例を概略的に示す図である。
【００８２】
図９に示すように、区分システムは、紙葉類としての郵便物（はがきや封書）を区分する区分機８１と、この区分機に通信回線を介して接続された情報管理サーバ８２とからなる。
【００８３】
この区分機８１は、大型の箱型状の区分機本体８１ａを有し、紙葉類上の宛名、郵便番号を読取り、その読取内容から宛名、郵便番号を認識し、この認識した宛名、郵便番号に対応する区分先に紙葉類を区分するものである。
【００８４】
上記区分機本体８１ａには、供給部９２、スキャナ部９３、搬送部９４、区分部９５、及び収納部９６が設けられている。この供給部９２からの紙葉類は、搬送路によって搬送されることにより、搬送部９４、区分部９５を順次介して収納部９６に導かれる。上記供給部９２は、複数枚の紙葉類を載置する載置台７と、この載置台７から紙葉類を一通ずつ取り出して搬送路に送る取出し部８とを有している。
【００８５】
上記スキャナ部９３は、画像読取部９３ａと非接触ＩＣチップリーダライタ９３ｂを有している。上記画像読取部９３ａは、搬送路によって搬送される１通ずつの紙葉類上の画像を光学的に読取って画像情報を生成する。上記画像読取部９３ａの出力は認識部９７に供給される。この認識部９７は、上記画像読取部９３ａの出力に応じて宛先情報（郵便番号及び住所などの区分情報）としての文字を認識を行うものである。
【００８６】
上記搬送部９４は、スキャナ部９３を通過してきた紙葉類を区分部９５へ搬送する。上記収納部９６は、紙葉類を区分収納する多数の収納ポケットを有している。上記区分部９５は、搬送部９４から送られてくる紙葉類をスキャナ部９３からの画像情報に対する後述する認識結果に基いて収納ポケットのいずれかに振り分ける。
【００８７】
また、上記供給部９２、スキャナ部９３、搬送部９４、区分部９５及び認識部９７は、制御部９８に接続されている。この制御部９８は、区分機８１全体の動作を制御するものである。たとえば、制御部９８は図示しない区分指定テーブルを用いて、上記認識部９７の認識結果に対応する区分指定データを読出し、この読出した区分指定データ（収納ポケットのアドレス）に対応する収納ポケットに紙葉類を搬送せしめるものである。
【００８８】
また、上記制御部９８は、上記スキャナ部９３の非接触ＩＣチップリーダライタ９３ｂにより読取った情報に基づいて、はがきに付与されている懸賞が有効であるか否かを判定する機能（判定処理部としての機能）を有している。さらに、上記制御部９８には、情報管理サーバ８２とのデータ通信を行うネットワークインタフェース部９９が接続されており、上記ネットワークインタフェース部９９を介して上記情報管理サーバ８２とのデータの送受信が可能となっている。
【００８９】
また、上記制御部９８は、特定のチップ識別ＩＤのＩＣチップ１２が搭載されたはがき１あるいは切手２を無効とする（失効させる）ための失効リスト９８ａを有している。この失効リスト９８ａには、失効させるべきチップ識別ＩＤが登録されている。上記制御部９８は、後述する区分処理中に、各紙葉類に搭載されているＩＣチップ１２のチップ識別ＩＤと上記失効リスト９８ａのチップ識別ＩＤとを照合する機能を有している。
【００９０】
また、上記失効リスト９８ａに登録すべきチップ識別ＩＤは、上記情報管理サーバ８２から配信される情報である。従って、上記制御部９８は、上記情報管理サーバ８２から転送される失効リストに関する情報に基づいて上記失効リスト９８ａを更新する機能も有している。
【００９１】
上記情報管理サーバ８２は、上記情報管理サーバ４３と同様な構成及び機能を有するものである。上記情報管理サーバ８２は、例えば、制御部１０１、記憶装置１０２、ネットワークインタフェース部１０３などを有し、印刷装置１０４に接続されている。また、上記記憶装置１０２には、はがき１あるいは切手に搭載されているＩＣチップのチップ識別ＩＤと差出人情報とが関連づけて登録されているデータベース１０２ａ（データベース４３ａに対応する）と、後述する失効リスト１０２ｂが設けられている。
【００９２】
上記情報管理サーバ８２では、利用者の申告等に応じて、特定の利用者の差出人情報が記録されたＩＣチップ１２を有するはがき１あるいは切手２を失効させる手続きが可能である。つまり、上記情報管理サーバ８２では、利用者からの申告に応じて当該利用者の差出人情報が記録されたはがき１あるいは切手２が添付された紙葉類を失効させるためのデータ登録が可能である。
【００９３】
すなわち、特定の利用者の差出人情報が記録されたはがき１あるいは切手２を失効させる場合、上記情報管理サーバ８２の制御部１０１は、利用者の差出人情報に基づいて上記データベース１０２ａから失効させるはがき１あるいは切手２に搭載されたＩＣチップ１２のチップ識別ＩＤを全て検索する。この検索により失効させるチップ識別ＩＤを全て抽出すると、上記制御部１０１は、それらのチップ識別ＩＤを全てリストアップした失効リスト１０２ｂを作成する。この失効リストは、上記記憶装置１０２内に失効リスト１０２ｂとして記録される。なお、上記情報管理サーバ８２において、図示しない入力装置によりオペレータが失効させるチップ識別ＩＤを直接入力して失効リスト１０２ｂに記録するようにしても良い。
【００９４】
また、上記情報管理サーバ８２は、上記失効リスト１０２ｂの情報を上記区分機８１へ転送する機能を有している。上記失効リスト１０２ｂの情報を上記区分機８１へ転送する場合、既に区分機８１に記録されている失効リスト９８ａの情報に対する差分情報のみを転送するようにしても良い。この場合、ネットワークへの負荷が小さくなり、効率的に区分機８１内の失効リスト９８ａの更新が行える。
【００９５】
また、上記情報管理サーバ８２から上記区分機８１への失効リストの転送（更新）は、任意のタイミングで行うことができる。つまり、上記情報管理サーバ８２から上記区分機８１へ転送する失効リストに関する情報は、例えば、定期的に転送するようにしても良いし、緊急時などには臨時に転送するようにしても良い。さらに、業務時間内には、上記情報管理サーバ８２から区分機８１へ転送する失効リストに関する情報は差分情報のみとし、業務時間外には全情報を配信するようにしても良い。なお、上記区分機８１からの要求を受けて全情報を任意のタイミングで、上記情報管理サーバ８２から区分機８１へ失効リストに関する情報を転送することも可能である。
【００９６】
また、上記情報管理サーバ８２は、上記区分機８１から上記失効リストに該当する紙葉類に関する情報を処理してことを示す情報（処理した紙葉類のチップ識別ＩＤ）を受信して上記失効リスト１０２ｂから抹消する抹消処理を行う機能も有している。この機能により、処理済みの紙葉類のチップ識別ＩＤについては、区分機８１で処理された時点で消去することが可能となり、効率的な失効リストの管理が行える。
【００９７】
次に、区分システムの動作例について説明する。
【００９８】
図９は、上記区分機８１及び上記情報管理サーバ８２とを有する区分システムの動作例を説明するためのフローチャートである。ここでは、区分機８１による紙葉類の区分情報（宛先情報）に基づく区分処理と平行して実施されるチップ識別ＩＤによるＩＤチェック処理について説明する。なお、区分情報に基づく区分処理については、詳細な説明を省略する。
【００９９】
上記区分機８１が上記供給部９２にセットされた紙葉類の区分処理を開始したものとする。すると、上記供給部９２は、紙葉類を１枚ずつ取出してスキャナ部９３へ搬送する。上記スキャナ部９３では、上記画像読取部９３ａにより当該紙葉類上の画像を読取る。これとともに、上記スキャナ部９３では、上記非接触ＩＣチップリーダライタ９３ｂにより当該紙葉類に搭載されているＩＣチップ（非接触ＩＣチップ）１２からの情報の読取り処理を行う（ステップＳ３１）。
【０１００】
ここで、当該紙葉類にＩＣチップ１２が搭載されていない場合、つまり、上記非接触ＩＣチップリーダライタ９３ｂが当該紙葉類から情報を読み取れなかった場合（ステップＳ３２、ＮＯ）、あるいは、上記区分機８１は、当該紙葉類をＩＤチェック処理の対象外として、上記認識部９７による宛先情報の認識結果（区分情報）に基づく区分処理を行う。
【０１０１】
また、当該紙葉類にＩＣチップ１２が搭載されている場合、つまり、上記非接触ＩＣチップリーダライタ９３ｂが当該紙葉類から情報を読み取った場合（ステップＳ３２、ＹＥＳ）、上記区分機８１は、上記認識部９７による区分情報の認識結果に基づく当該紙葉類の区分処理を行うとともに、当該紙葉類のＩＣチップ１２から読取った情報に基づくＩＤチェック処理を行う。
【０１０２】
すなわち、上記スキャナ部９３のＩＣチップ１２が郵便物に搭載されている非接触ＩＣチップから情報を読取った場合、上記制御部９８は、上記非接触ＩＣチップリーダライタ９３ｂが読取った情報に基づいてＩＤチェック処理済みであることを示す処理済み情報が上記ＩＣチップ１２に書込まれているか否かを判定する（ステップＳ３３）。
【０１０３】
この判定により当該紙葉類のＩＣチップ１２から処理済み情報が読み取れた場合、つまり、当該紙葉類のＩＣチップ１２に処理済み情報が書込まれていると判定した場合（ステップＳ３３、ＹＥＳ）、上記制御部９８は、当該紙葉類（はがき１あるいは切手２）を上記区分部９５によりリジェクト用の収納ポケットに区分する（ステップＳ３８）。上記リジェクト用の収納ポケットは、配送停止する紙葉類を収納するものである。従って、上記ステップＳ３８にてリジェクト用の収納ポケットに区分された紙葉類は、配送停止とすることができる。
【０１０４】
なお、ここでは、使用済みの紙葉類（処理済みであることを示す情報がＩＣチップに書込まれた紙葉類）は、リサイクル処理を施さない限り再利用はできないものとする。従って、上記区分機では、郵便物に添付された非接触ＩＣチップに当該紙葉類が使用済みであることを示す情報（処理済み情報）が書込まれていたら、その郵便物をリジェクトするという扱いを行うようになっている。これにより、使用済みを紙葉類が不正に再使用されることを防止できる。
【０１０５】
また、上記判定により当該紙葉類のＩＣチップ１２から処理済み情報が読み取れなかった場合、つまり、当該紙葉類のＩＣチップ１２に処理済み情報が書込まれていないと判定した場合（ステップＳ３３、ＮＯ）、上記制御部９８は、上記読取処理において当該紙葉類のＩＣチップ１２から読取ったチップ識別ＩＤと失効リスト９８ａのチップ識別ＩＤとの照合処理を行う（ステップＳ３４）。
【０１０６】
この照合処理により当該ＩＣチップ１２のチップ識別ＩＤが上記失効リスト９８ａのどのチップ識別ＩＤとも一致しなかった場合（ステップＳ３５、ＮＯ）、上記制御部９８は、上記非接触ＩＣチップリーダライタ９３ｂにより当該紙葉類のＩＣチップ１２にＩＤチェック済みであることを示す処理済み情報を書込み（ステップＳ３６）、ＩＤチェック処理を終了する。なお、この紙葉類は、上記区分情報に基づく区分処理が行われる。
【０１０７】
また、上記照合処理により失効リスト９８ａのチップ識別ＩＤと当該ＩＣチップ１２のチップ識別ＩＤと一致した場合（ステップＳ３５）、上記制御部９８は、上記ネットワークインタフェース部９９により当該ＩＣチップ１２のチップ識別ＩＤを上記情報管理サーバ８２へ送信する（ステップＳ３７）。
【０１０８】
これに対し、上記情報管理サーバ８２では、上記区分機８１から受信したチップ識別ＩＤに対応する情報を失効リスト１０２ｂから抹消し、失効リスト１０２ｂを更新する。この際、上記情報管理サーバ８２の制御部１０１は、当該紙葉類がどの区分機８１で発見されたかを示す情報などを上記記憶装置１０２に記録しておくようにしても良い。これにより、失効すべき紙葉類が発見された場所（区分機）を後で容易に確認できる。
【０１０９】
また、上記制御部９８は、上記照合処理により失効リスト９８ａのチップ識別ＩＤとチップ識別ＩＤが一致したＩＣチップ１２を搭載している紙葉類（はがき１あるいは切手２）を、上記区分部９５によりリジェクト用の収納ポケットに区分する（ステップＳ３８）。これにより、上記失効リスト９８ａのチップ識別ＩＤのＩＣチップ１２を搭載している紙葉類は、他の紙葉類とは別にリジェクトすることが可能となり、当該紙葉類を配送停止にすることが可能となる。
【０１１０】
上記のように、本実施の形態の区分システムでは、区分機において各紙葉類（はがき１あるいは切手２が貼り付けられた郵便物）を区分情報に基づいて区分するとともに、ＩＣチップが搭載されている紙葉類については、上記情報管理サーバ８２により管理される失効リストに基づいて失効すべきものか否かを判定し、この判定によって失効すべきと判定した紙葉類についてはリジェクトするようにしたものである。これにより、紛失あるいは盗難等により不正に利用された紙葉類については、区分処理時に抽出して配達停止にするこができ、不正利用を防止することが可能となる。
【０１１１】
また、上記情報管理サーバ８２では、差出人情報に基づいて失効させる紙葉類に搭載されているＩＣチップのチップ識別ＩＤを検索し、その検索したチップ識別ＩＤを失効リストとして作成し、上記区分装置へ配信することができる。これにより、利用者（差出人）の申告等に応じて特定の紙葉類を容易に配信停止させることができる。
【図面の簡単な説明】
【０１１２】
【図１】本発明の実施の形態に係る非接触ＩＣチップを搭載したはがきの構成例を示す図。
【図２】非接触ＩＣチップを搭載した切手の構成例を示す図。
【図３】はがきあるいは切手に搭載されるＩＣチップの構成例を概略的に示すブロック図。
【図４】発行装置の構成例を概略的に示すブロック図。
【図５】はがきあるいは切手に搭載される非接触ＩＣチップに記録される情報の構成例を示す図。
【図６】はがきあるいは切手に搭載される非接触ＩＣチップに記録される情報の構成例を示す図。
【図７】はがきあるいは切手に搭載される非接触ＩＣチップに記録される情報の構成例を示す図。
【図８】発行装置の動作例を説明するためのフローチャート。
【図９】紙葉類の区分システムの構成例を概略的に示す図。
【図１０】区分システムの動作例を説明するためのフローチャート。
【符号の説明】
【０１１３】
１１…アンテナ、１２…ＩＣチップ、４０…発行装置、４１…ユーザインタフェース部、４２…処理部、４３…情報管理サーバ（情報管理装置）、５０…ＩＣカード受付部、５３…入力装置、６０…ＩＣカードリーダ、６１…非接触ＩＣチップリーダライタ（読取手段、記録手段）、６２…印刷部、６３…ネットワークインタフェース部（送信手段、登録手段）、６５…制御部（発行手段）、８１…区分機、８２…情報管理サーバ（情報管理装置）、９３…スキャナ部、９３ｂ…非接触ＩＣチップリーダライタ（読取手段）、９５…区分部（区分手段）、９８…制御部（判定手段）、９８ａ…失効リスト、９９…ネットワークインタフェース部（送信手段）、１０１…制御部（照合手段）、１０２…記憶装置、１０２ａ…データベース（第２の記憶手段）、１０２ｂ…失効リスト（記憶手段）、１０３…ネットワークインタフェース（通知手段）、１０４…印刷装置（通知手段）
【図１】
2005190114.tif 000003
【図２】
2005190114.tif 000004
【図３】
2005190114.tif 000005
【図４】
2005190114.tif 000006
【図５】
2005190114.tif 000007
【図６】
2005190114.tif 000008
【図７】
2005190114.tif 000009
【図８】
2005190114.tif 000010
【図９】
2005190114.tif 000011
【図１０】
2005190114.tif 000012